(57)【要約】      （修正有）【課題】挟持部を容易に作動でき、強固で簡単な圧力下で食品を料理する器具を提供する。【解決手段】少なくとも、漏洩のない料理筐体を形成するための容器と、容器に係止して取付けられる蓋体と、容器に関して蓋体をロックし、またこれらをアンロックするためロック／アンロック装置３と、を有し、この装置３は、少なくとも１つの挟持部４と、この挟持部４を駆動するための制御手段７と、を有し、制御手段７は、作動部材８と、制御ピース９と、少なくとも１つのロックバルブ部材１０と、を有し、挟持部４がロック位置にあるとき、ロックバルブ部材１０が開口部内で高位置を自由にとり、これによって、制御ピース９を正しい位置にロックするように、制御ピース９がロックバルブ部材１０と関連して配置された開口部に設けた。【選択図】図２
2005177514.tif 000002
【特許請求の範囲】
【請求項１】
容器（１）と、蓋体（２）と、前記容器（１）に対し蓋体（２）をロックしアンロックするロック／アンロック装置（３）とを有する、圧力下で食品を料理する家庭用器具であって、
前記装置は、
前記蓋体（２）が前記容器（１）にロックされるロック位置と、前記蓋体（２）が前記容器（１）からアンロックされるアンロック位置との間で作動する駆動アーム（５）を介して前記蓋体（２）に半径方向可動に取り付けられた少なくとも１つの挟持部（４）と、
前記挟持部（４）を半径方向に移動するように、また、前記ロックおよびアンロック位置の一方または他方に前記挟持部（４）を移動するように、前記駆動アーム（５）に連結された、前記少なくとも１つの挟持部（４）を移動させる制御手段（７）と、
を有し、
前記制御手段（７）は、
前記挟持部（４）を動かすのに適した作動部材（８）と、
前記蓋体に作動変換するために取り付けられ、かつ前記作動部材（８）により作動され、前記駆動アームの半径方向移動に作動変換するように前記駆動アームと共働する、制御ピース（９）と、
前記家庭用器具内に充満する圧力の影響下で、圧力の漏洩のない高位置と漏洩のある低位置を適切にとるように前記蓋体に載置された、少なくとも１つのロックバルブ部材（１０）と、
を有し、
前記器具は、前記挟持部（４）がロック位置にあるとき、前記ロックバルブ部材（１０）が開口部（１４）内で前記高位置を自由にとり、これによって、前記制御ピース（９）を正しい位置にロックするように、前記制御ピース（９）が前記ロックバルブ部材（１０）と関連して配置された前記開口部（１４）に設けられていることを特徴とする、圧力下で食品を料理する家庭用器具。
【請求項２】
前記制御ピース（９）は、駆動アーム（５）に設けられた少なくとも１つの突起（２１）と共働する少なくとも１つのスロット（２０）によって構成された作動手段を備え、前記制御ピース（９）が駆動アーム（５）の半径方向移動に作動変換すると共に前記スロット（２０）内部でスライドするようにしたことを特徴とする請求項１に記載の器具。
【請求項３】
前記スロット（２０）は、前記挟持部（４）が半径方向に動く軸線に対し大幅に傾斜する軸線に沿って長手方向に伸延することを特徴とする請求項２に記載の器具。
【請求項４】
前記スロット（２０）は、ロック位置とアンロック位置のそれぞれで前記突起（２１）を受け入れる複数の停滞ゾーン（２３、２４）を端部に設けたことを特徴とする請求項２または３に記載の器具。
【請求項５】
前記開口部（１４）およびロックバルブ部材（１０）は、前記挟持部（４）が、アンロック位置、またはロック位置とアンロック位置との中間位置、のいずれかにあるとき、前記バルブ部材（１０）が高位置に行くことを防止し、これにより、前記器具がロックされない場合に、当該器具内の圧力の増大を防止するように、相互に関連して成形されていることを特徴とする請求項１〜４のいずれか１つに記載の器具。
【請求項６】
前記ロックバルブ部材（１０）は、本体（１５）、ネック部（１６）および頭部（１７）を有し、前記開口部（１４）は、前記ネック部（１６）の幅よりかなり大きいが、本体（１５）の幅よりかなり小さい幅の案内路（１８）を有し、該案内路（１８）は、第１に、ロックバルブ部材（１０）が低位置にあるとき、ネック部（１６）の周囲が摺動する前記案内路（１８）によって制御ピース（９）がロック位置とアンロック位置の間で動くことを許容し、第２に、挟持部（４）がアンロック位置または、アンロック位置とロック位置との間の中間位置にあるときはいつでも、前記ロックバルブ部材（１０）が高位置に入るのを防止するように構成され、前記案内路（１８）は、ロックバルブ部材（１０）の本体（１５）に当接するように形成したことを特徴とする請求項１〜５のいずれか１つに記載の器具。
【請求項７】
前記案内路（１８）は、前記制御ピース（９）が作動変換し得るように、当該制御ピースの動作軸線に沿って伸延することを特徴とする請求項６に記載の器具。
【請求項８】
前記開口部（１４）は、ロック位置で、ロックバルブ部材が内部で高位置をとることができ、これにより、制御ピース（９）が正しい位置でロックされるように、局所的に広い部分（１９）を有することを特徴とする請求項６または７に記載の器具。
【請求項９】
前記作動部材（８）は、前記制御ピース（９）に固着された押しボタンによって構成されることを特徴とする請求項１〜８のいずれか１つに記載の器具。
【請求項１０】
前記ロック／アンロック装置（３）は、対応する駆動アーム（５）に連結された２つの半径方向に対向する挟持部（４）を有することを特徴とする請求項１〜９のいずれか１つに記載の器具。
【発明の詳細な説明】
【技術分野】
【０００１】
本発明は、圧力の下で食品を料理する家庭用器具の一般的な技術分野に関し、容器と蓋体とを有し、当該蓋体が実質的に漏洩のない料理容器を形成するため前記容器にロックされるように設計されたものに関する。
【０００２】
この種の器具は、蒸気圧力下で容器内の食品を料理するのに役立つ。
【０００３】
本発明は、特に、圧力下で食品を料理する家庭用器具に関し、容器と、蓋体と、容器に蓋体をロックしアンロックするためのロック／アンロック装置とを有し、
前記装置は、
前記蓋体が前記容器（１）にロックされるロック位置と、前記蓋体が前記容器からアンロックされるアンロック位置との間で作動する駆動アームを介して前記蓋体に半径方向可動に取り付けられた少なくとも１つの挟持部と、
前記挟持部を半径方向に移動するように、また、前記ロックおよびアンロック位置の一方または他方に前記挟持部を移動するように、前記駆動アームに連結された、前記少なくとも１つの挟持部を移動させる制御手段と、を有し、
前記制御手段は、
前記挟持部を動かすのに適した作動部材と、
前記蓋体に作動変換するために取り付けられ、かつ前記作動部材により作動され、前記駆動アームの半径方向移動に作動変換するように前記駆動アームと共働する、制御ピースと、
を有している。
【背景技術】
【０００４】
圧力下で食品を料理する家庭用器具は、既に特許出願ＷＯ−９６／０１０７０から公知である。当該装置は、１つの容器と、１つの蓋体とを有し、複数の駆動アームを介して前記蓋体を半径方向に移動するために載置された複数の挟持部を有するロック／アンロック装置を備えている。
【０００５】
これら２つの挟持部は、器具の中心軸線に対し相互に直径方向に対向しており、半径方向に移動するように取り付けられ、ロック位置にあるとき、前記容器を気密に閉じるように、容器の下方湾曲周縁部のまわりをクランプするのに適している。
【０００６】
これら挟持部は、特に、蓋体に半径方向に移動するように載置され、かつ三角形ゾーンを有する制御ピースに固着された押しボタンによって移動されるが、前記三角形ゾーンは、押しボタンが押し込まれるとき、その側部を介して複数の突起を前進して係合させ、これら突起が複数の駆動アームと一体化する。
【０００７】
当該装置では、複数の駆動アームは、部分的にオーバラップし、各々が１つのロック開口部を備えており、各ロック開口部の位置および寸法は、各駆動アームの長さの関数として決定される必要があるが、これら開口部は、挟持部がロック位置にあるときには、相対的な整合位置にあり、このとき、ロックバルブ部材は、前記各ロック開口部に漏洩のない高位置をとることを可能にさせる。
【０００８】
また、この設計は、複数の駆動アームに適合し、駆動アームが動くようにガイドする追加の支持片も含む。
【０００９】
また、支持片は、ロックバルブ部材を支持することが可能で、そのために、開口が、挟持部がロックされるとき、第１に、駆動アームに設けられたロック開口部と整合され、第２に、蓋体内でかつロックバルブ部材が載置された内側に設けられたボアと整合されるように、配置されかつ整列されて設けられている。
【発明の開示】
【発明が解決しようとする課題】
【００１０】
この種の器具は、閉位置でのロックシステムを改良することに対し積極的に寄与するが、これらは残念なことに、無視し得ない欠点に悩んでいる。
【００１１】
このように、これらの器具の設計は、相互に関連して作動する一連の部品の中での実施を必要とし、この必要は、引っ掛かって動かなくなるという無視し得ないリスクを引き起こし得る。
【００１２】
加えて、この種の器具は、比較的複雑な機構を有し、複数の前記アームに設けられた複数のロック開口部が、蓋体に設けられたボアや、支持片に設けられた開口と相互に位置合わせするように同時に運ばれことを可能にしている。
【００１３】
簡単でコンパクトな制御機構を提供する必要が増加している。
【００１４】
したがって、本発明に与えられた目的は、種々の上に列挙した欠点を解消し、圧力下で食品を料理するための新規な家庭用器具を提供することであり、一方、簡単でコンパクトな設計にすることは、挟持部が正しい位置にあり、蓋体が容器に対し完全にかつ安全に閉じられることを容易にかつ確実に保証することである。
【００１５】
本発明の他の目的は、特に挟持部を容易に作動させる一方、強固で簡単な、圧力下で食品を料理する新規な家庭用器具を提供することである。
【００１６】
本発明のさらに他の目的は、全体的に剛性および組立が改良された、圧力下で食品を料理する新規な家庭用器具を提供することである。
【００１７】
本発明の別の目的は、圧力下にあるとき、開放に良好な抵抗を生じさせる、圧力下で食品を料理する新規な家庭用器具を提供することにある。
【００１８】
本発明のさらに別の目的は、装置を閉じ工程中と、開放する工程中のいずれにおいても、特に圧力関連のリスクを回避することに関して、安全な作動を良好に保証する、圧力下で食品を料理する新規な家庭用器具を提供することにある。
【課題を解決するための手段】
【００１９】
本発明に課された目的は、容器と、蓋体と、前記容器に対し蓋体をロックしアンロックするロック／アンロック装置とを有する、圧力下で食品を料理する家庭用器具であって、
前記装置は、
前記蓋体が前記容器にロックされるロック位置と、前記蓋体が前記容器からアンロックされるアンロック位置との間で作動する駆動アームを介して前記蓋体に半径方向可動に取り付けられた少なくとも１つの挟持部と、
前記挟持部を半径方向に移動するように、また、前記ロックおよびアンロック位置の一方または他方に前記挟持部を移動するように、前記駆動アームに連結された、前記少なくとも１つの挟持部を移動させる制御手段と、を有し、
前記制御手段は、
前記挟持部を動かすのに適した作動部材と、
前記蓋体に作動変換するために取り付けられ、かつ前記作動部材により作動され、前記駆動アームの半径方向移動に作動変換するように前記駆動アームと共働する、制御ピースと、
前記家庭用器具内に充満する圧力の影響下で、圧力の漏洩のない高位置と漏洩のある低位置を適切にとるように前記蓋体に載置された、少なくとも１つのロックバルブ部材と、を有し、
前記器具は、前記挟持部がロック位置にあるとき、前記ロックバルブ部材が開口部内で前記高位置を自由にとり、これによって、前記制御ピースを正しい位置にロックするように、前記制御ピースが前記ロックバルブ部材と関連して配置された前記開口部に設けられていることを特徴とする、圧力下で食品を料理する家庭用器具によって達成される。
【発明を実施するための最良の形態】
【００２０】
本発明の他の特徴および効果は、非限定的に例示的に示された添付の図面を参照して、以下の詳細な説明で更に詳述する。
【００２１】
本発明の調理器具は、家庭状況では圧力下で食品を料理するために設計されている。
【００２２】
前記器具は、図１〜７を参照して述べられている。
【００２３】
本発明の調理器具は、好ましくは対称軸Ｚ−Ｚを有する円筒状の容器１と、シールガスケット、例えばリップシールＪ、を介して容器１に対し実質的に気密の方法で取り付けられるように設計された蓋体２と、を有している。
【００２４】
以下、形容詞としての「軸線」は、器具が通常作動状態にあるとき、実質的に垂直線である対称軸Ｚ−Ｚが基準となっている。
【００２５】
従来方法では、容器１は、ステンレス鋼などのような金属材料から製造され、容器１に、例えば、熱間プレス加工により確保された底部（図示せず）を備えている。
【００２６】
容器１は、好ましくはその壁に固定されたハンドルＰのような、把手部材が設けられている。
【００２７】
蓋体２は、好ましくは円形の周囲を有し、ロック／アンロック装置３によって容器１に対しロックされる。
【００２８】
本発明のロック／アンロック装置３は、直径方向で対向する好ましくは２つの挟持部４を有し、これら挟持部４は、容器１に対し蓋体２をロックし、蓋体２が容器１に固定されるロック位置と、蓋体が容器から分離されるアンロック位置との間を、駆動アーム５により蓋体２上で半径方向に移動するように載置されている。
【００２９】
当然、１つの挟持部４が設けられたロック／アンロック装置を蓋体２上で半径方向に移動して実行することは、考えとしてはあり得る。
【００３０】
このような変形実施形態（図示せず）では、ロック／アンロック装置は、好ましくは、容器に取り付けられかつ挟持部から直径方向で対向して設けられた１つのキーパーと、容器上で垂直に移動し、前記キーパー内の溝に対し実質的に水平にスライドするように、容器に載置される蓋体と、を有している。この位置では一度で、蓋体は、挟持部を作動することによってロックできる。
【００３１】
挟持部４は、当業者に周知のように、容器１の下方に曲げられた周縁部６の周辺をクランプするのに適しているＵ字形の輪郭に形成された金属板の形式が好ましい。
【００３２】
また、本発明のロック／アンロック装置３は、駆動アーム５に連結された複数の挟持部４を半径方向に動かし、ロック位置又はアンロック位置のいずれかに動かすための制御手段７を有している。
【００３３】
制御手段７は、特に、押し込むことによって挟持部４を変位させるような作動に適している作動部材８、例えば押しボタン、を有することが好ましい。
【００３４】
また、制御手段７は、制御ピース９を有し、この制御ピース９は、ユーザが作動部材８を、例えば押すかまたは引くことによって作動する平板の形が好ましい。
【００３５】
本発明によれば、制御ピース９は、蓋体２上で動作を変換するために載置されており、制御ピース９は、この制御ピース９の運動に対し好ましくは垂直な軸線に沿って直線的に半径方向に駆動アーム５を変換移動させるように、駆動アーム５と直接的に共働している。複数の駆動アーム５は、それらが厳格に直線的に半径方向に動くようにガイドすることが好ましい。
【００３６】
押しボタンによって構成された作動部材８は、制御ピース９に固着されることが好ましい。このようにすると、ユーザが押しボタンを押すと、制御ピース９が直接変換動作し、挟持部４を動かし、駆動アーム５が、制御ピース９によって器具の周囲の方向へ押される。
【００３７】
したがって、制御ピース９が動く方向により、前記制御ピースは、駆動アーム５を器具の中心の方向へ引っ張り、挟持部４をロックしたり、または周囲の方へ離すように押し、挟持部４をアンロックする。
【００３８】
本発明によれば、蓋体２は、好ましくはクリップにより差込み３０を取り付け可能とした少なくとも１つのボア１０Ａが設けられ、この差込みは、好ましくは弾性材で作られ、通路３０Ａに設けられている。この通路３０Ａには、器具内に十分な圧力が充満しているとき、漏洩のある低位置（図５参照）と、漏洩のない高位置（図６参照）との間で、自由に軸方向に滑動するようにロックバルブ部材１０が取り付けられる。ロックバルブ部材１０は、当業者間では周知の、器具内に圧力が充満しているという視覚情報を提供する機能をもった安全指または「引張り鉤」（ｐｉｎｔｌｅ）によって構成することもできる。
【００３９】
高位置では、ロックバルブ部材１０は、カラー１２に配置されたガスケット１１により、蒸気漏れ防止機能を発揮するが、ロックバルブ部材１０（図６）の半径方向に最外部となる底部を、弾性材で作られたもので形成することが好ましい。
【００４０】
このように、ロックバルブ部材１０が高位置にあるときには、シールガスケット１１は、差込み３０の底壁とカラー１２との間で扁平にされる。
【００４１】
また、当業者には周知のように、本発明の家庭用料理器具は、「作動圧力」と称され実質的に一定の所定圧力で、容器内の圧力を保つように設計された制御バルブ部材１３を有している。
【００４２】
本発明によれば、制御ピース９は、開口部１４が設けられているが、この開口部１４は、挟持部４がロック位置にあるとき、ロックバルブ部材１０が開口部１４内で高位置を取ることを自由にするために、ロックバルブ部材１０に関連して配置されており、これにより制御ピース９を正しい位置（図４）にロックする。
【００４３】
本発明の器具は、このように特にコンパクトで単純な設計で、簡素に作られ、挟持部４が適当な位置にあり、蓋体２が容器１に対し完全にかつ安全に閉じることを保証する。
【００４４】
容器内の圧力が所定の値、例えば、約０．５キロパスカル（ｋＰａ）を超える限り、ロックバルブ部材１０は、高位置のままであり、制御ピース９を停止位置に保持し、これによって、駆動アーム５と共働する挟持部４をロック位置に保つ。
【００４５】
本発明の器具は、単一の制御ピース９によって、挟持部４を動かすのみでなく、全体が安全な状態を満たしていない場合には蓋体２の開放を阻止することを可能にする。
【００４６】
好ましいことに、開口部１４およびロックバルブ部材１０は、相互に関連して形成されており、挟持部１４がアンロック（図１および２参照）されるかあるいはロック位置とアンロック位置との間の中間位置にあるとき（図３参照）、バルブ部材１０が、高位置に入ることを防止し、これにより、前記器具がロックされない場合、器具内で圧力が高まることを防止している。
【００４７】
このために、ロックバルブ部材１０は、好ましくは、本体１５、ネック部１６および頭部１７を有し、ネック部１６の断面寸法は、本体５と頭部１７の断面寸法より小さい。
【００４８】
特に、好ましくは、開口部１４は、図２〜４に示すように、案内路１８が設けられている。案内路１８は、ロックバルブ部材１０が低位置にあるとき、ネック部１６の周囲が摺動し得るように、ネック部１６の幅よりかなり大きい幅を有する好ましく、これにより制御ピース９は、ロック位置とアンロック位置（図２および３）の間で動くことができる。
【００４９】
逆に、案内路１８は、挟持部４がアンロック位置、または、アンロック位置とロック位置と間の中間位置にあるとき（図２および３）はいつでも、バルブ部材１０が高位置に入るのを防止するように、本体１５の幅よりかなり小さい幅を有することが好ましい。
【００５０】
制御ピース９は、バルブ部材１０の本体１５に当接するように形成していることが好ましい（図７）。このようにすると、バルブ部材１０は、高位置に入ることができないので、蒸気の漏れを可能にし、器具内部を所定の値（例えば約４ｋＰａ）を超えることを防止する。
【００５１】
特に、好ましくは、案内路１８は、制御ピース９の動きに伴う軸線に沿って延びていることであり、すなわち、矢印ＦｔおよびＦ２（図１）に平行な軸線に沿うこと、例えば、前記制御ピース９の作動変換を可能にするように、実質的に駆動アーム５の動きに伴う軸線に対し垂直に延びていることである。
【００５２】
器具は、溝４１が設けられたキャップ４０を有することが好ましく、前記溝４１は、頭部１７（図５〜７）が当接する肩部４２によって、その底端で部分的に閉じられる。
【００５３】
ロックバルブ部材１０は、漏れを生じさせる低位置で、肩部４２（図５）に頭部１７を当接させるため、キャップ４０から垂下するように設けられることが好ましい。
【００５４】
特に、好ましくは、開口部１４は、局所的に広い部分１９（図１〜３および５〜７）を有し、ロックバルブ部材１０が、ロック位置で、前記局所的に広い部分１９内で高位置をとることができるように配置することであり、これにより、制御ピース９は、図６に示すような正しい位置でロックされる。
【００５５】
このようにすると、（ロック位置において）器具の容器内圧力が、所定の圧力（例えば約１．５ｋｐａ）を超えるときはいつでも、ロックバルブ部材１０は、局所的により広い部分１９の空間を占有しかつ制御ピース９に当接し、これにより前記制御ピースが動くのを防止する。このとき、ユーザは、器具をもはや開くことはできない。
【００５６】
特に、好ましくは、このような制御ピース９の動作が可能な場合には、駆動アーム５とその関連する挟持部４が、作動手段を介して半径方向に動かされることで、この作動手段は、制御ピース９に設けられ、すなわち備えられまたは取り付けられ、駆動アーム５と一体化され固着された連結手段として共働するものである。
【００５７】
この作動手段は、制御ピース９が、駆動アーム５を半径方向に動かす軸線に対して実質的に垂直な軸線に沿って動作するように配置されていることが好ましい。
【００５８】
この作動手段は、２つのスロット２０によって形成されていることが好ましいが、これらスロット２０は、制御ピース９を構成するプレートの全板厚を挿通して設けられ、かつ軸Ｚ−Ｚ’のまわりで相互に直径方向反対側に設けられている。
【００５９】
前記連結手段は、駆動アーム５に設けられ、かつその内端、すなわちＺ−Ｚ’軸近くの端部に位置する２つの突起２１によって形成されることが好ましい。
【００６０】
当然、器具が単一の挟持部４を有するとき、作動手段は、単一の駆動アーム５に設けられた単一の突起２１と共働する単一のスロット２０によって形成される。
【００６１】
特に、ユーザの手がアクセスできる押しボタンである作動部材８が、引かれるかまたは押されるように作動されるとき、突起２１は、作動変換している制御ピース９の影響下で、スロット２０内でスライドし、これにより駆動アーム５を半径方向に動かす。このように突起２１の動作は、スロット２０の範囲内で自由でなく、制御ピース９の動作に従属する。
【００６２】
ユーザがアクセスできる作動部材８を作るために、当該部材は、例えば、スペーサ要素２２（図４）によって制御ピース９上に載置することが好ましい。
【００６３】
特に、好ましくは、スロット２０は、挟持部４が動く半径方向軸線に対して大きく傾斜する軸線に沿って長手方向に延びていることである（図１）。
【００６４】
複数のスロット２０の端部は、突起２１に対して当接するように形成され、これによりそれらのストロークや、駆動アーム５および関連する挟持部４のストロークを制限している。
【００６５】
各スロット２０は、端部に停滞ゾーン２３、２４を設けることが好ましく、ロック位置およびアンロック位置のそれぞれにおいて突起２１を受け入れるのに役立つ。これらの器具の設計は、特に制御ピース９と第１に突起２１、第２にロックバルブ部材１０との間で直接的共働するときの設計は、器具が圧力下にあるとき、システムが非常に大きな開放力に耐えることができるようにすることである。
【００６６】
複数の駆動アームは、弾性戻り手段でロック位置の方の連続的に圧接されるが、この弾性戻り手段は、駆動アームのそれぞれに固着又は一体に設けられた２つの柱の間に配置された、例えば、ばね（図示せず）により構成されることが好ましい。
【００６７】
このような構成は、特許出願ＷＯ−９６／０１０６９で詳述されており、これ以上に詳細には下記しない。
【００６８】
制御ピース９と共働する作動部材８は、複数の駆動アーム５を半径方向外方に能動的に動かす、すなわち、挟持部４のアンロック端部位置に達するまで挟持部４を次第に離す方向に動かすか、または、能動的に半径方向内方、すなわち、挟持部４がロック位置の方向に動かす、これは単に作動部材８を押すかまたは引くのみで達成できる。
【００６９】
特許出願ＷＯ−９６／０１０６９に記載されているように、２つの異なる制御部材を使用し、蓋体をロックおよびアンロックすることも可能である。
【００７０】
この場合、作動部材８は、例えば、複数の駆動アーム５を半径方向外方へ動かし、一方、蓋体２に固着されたノブ５１に、軸方向に弾性的に動くように設けられた制御ボタン５２は、これを軸方向に押すことによって複数の駆動アーム１５を半径方向内方に動かすことができる。
【００７１】
制御ボタン５２と関連する手段の操作は、特許出願ＷＯ−９６／０１０６９で詳述されている。
【００７２】
このように本発明の圧力調理器具は、内部で圧力が増大するのみの１つの位置を有する利点を提供するが、この位置は、蓋体が容器にロックされるロック端位置に対応する。
【００７３】
以下、圧力下で食品を料理する本発明の家庭用器具の作用と使用について説明する。
【００７４】
容器１上に蓋体２を配置するには、挟持部４を開くため、作動部材８（押しボタン）を半径方向に押すことが必要であり、これにより、矢印Ｆ２で示す方向に、制御ピースをスライドさせ、対応するスロット２０に設けられた各突起２１を半径方向外方駆動することができる。
【００７５】
このように作動部材８が前進すると、複数の駆動アーム５と関連する挟持部４は、次第にかつ同時に離れる。この作動は、各突起２１が停滞ゾーン２４（図４）に位置すると、一旦終了する。挟持部４が離間した限界位置は、スロット２０の端部に当接する突起２１により決定される。この方法で到達した端部位置では、蓋体２は、容器１の中心に位置される（図１）。
【００７６】
挟持部がロック位置に到達することによる器具の閉鎖は、作動部材８に引くか、または、器具が制御ボタン５２を備えているならば、このボタンを手で、圧力をかけるか、のどちらかで得ることができる。
【００７７】
使用された制御部材とは関係なく、制御ピース９を矢印Ｆｔで示す方向に作動変換するために動かすと、この作動変換は、第１に、求心的な半径方向移動を伴って、停滞ゾーン２４から出る突起２１によって達成され、これにより挟持部４を相互にロック位置（図４）に達するまで移動する。
【００７８】
また、ロック位置への戻りは、２つの駆動アーム５間に配置された戻りばねにより、少なくとも部分的に達成することもできる。
【００７９】
閉鎖の終了時点で、ロック／アンロック装置３は、、器具が適切にロックされることをユーザに知らせる可聴音を発することが好ましい。
【００８０】
また、ノブ５１の外部に突出する（作動部材８を構成する）押しボタンの位置も、器具が正しくロックされるかどうかをユーザに知らせることになる。
【００８１】
器具が実質的に漏洩のない方法でロックされると、圧力は、筐体内で増加し、ロックバルブ部材１０を、開口部１４を通り、正確に局所的に広い部分１９を通り、その高位置の方へ上昇させることができる。
【００８２】
このように局所的に広い部分１９を通り係合しているロックバルブ部材１０は、第１に、制御ピースまたはプレート９を、第２に、駆動アーム５および関連する挟持部４を、正確な位置に同時にロックする。
【００８３】
このように本発明のロック／アンロック装置３は、圧力が完全な安全をもって高めることを可能にするが、これは、駆動アーム５や挟持部４がロック端位置にある場合のみ、ロックバルブ部材１０がロック開口部１４を通過することができるためである。
【００８４】
単一の制御ピース９の使用は、ロックバルブ部材１０との共働によって挟持部４を動かすことと、ロックすることの両者を可能にし、第１に、特に、複数の部品が一緒に共働するときの望ましくない遊びの形成の防止と、第２に、挟持部４をガイドする際の曲がるリスクを減少させることを可能にする。
【００８５】
さらに、いかなる理由でも、器具が適切に閉鎖されない場合には、容器内部の相対的な圧力は、所定の値（例えば約４ｋＰａ）を超えることはできない。これは、蓋体２が容器１に正しくロックされないならば、ロックバルブ部材１０が漏洩のない高位置に位置することができないように、開口部１４やロックバルブ部材１０が形成されているからである。
【００８６】
特に、複数の挟持部４がアンロック位置、またはロック位置とアンロック位置間の中間位置にあるときはいつでも、ロックバルブ部材１０は、強制的に案内路１８との位置合わせを正しくし、局所的に広い部分１９にオフセットし、これにより、筐体に充満する圧力の影響により、バルブ部材１０の本体１５が制御ピース９に当接するまで上昇し、これによって、漏れが通路３０Ａを介して起こるようになる。
【００８７】
器具が正しく閉じロックされると、容器内部の相対的な圧力が、約１．５ｋＰａを超えるときはいつでも、それを開放することは不可能となる。
【００８８】
料理終了後、ユーザは、容器内部の相対的な圧力が０．５ｋＰａより大きい限り、器具を開けることができない。器具内部の相対的な圧力が０．５ｋＰａ以下になると、ロックバルブ部材１０は、下部位置に戻り、制御ピース９の作動変換によって、蓋体２が再び開放されること許容し、それから案内軌道１６がバルブ部材１０のネック部１６周辺で適当に摺動する。
【００８９】
ユーザは、挟持部４を直線的でかつ遠心力を利用した方法で半径方向に動かされるため、矢印Ｆ２で示される方向に作動部材８を動かすことができ、これにより、蓋体２の取り外しを可能にする。
【００９０】
当然、上記した圧力値は、単に説明と図示例のためのみに述べたものである。
【産業上の利用可能性】
【００９１】
本発明の産業的応用は、圧力下で料理する家庭用器具、特に圧力調理具の設計と製造にある。
【図面の簡単な説明】
【００９２】
【図１】アンロック位置での圧力下で食品を料理する本発明の家庭用器具を示す一部破断斜視図である。
【図２】アンロック位置での本発明のロック／アンロック装置の詳細を示す斜視図である。
【図３】ロック位置とアンロック位置との間の中間位置での本発明のロック／アンロック装置の斜視図である。
【図４】器具が圧力下にある状態で、蓋体が容器に対しロック位置での本発明のロック／アンロック装置の詳細な斜視図である。
【図５】ロックバルブ部材が漏れ低位置にあり、かつ蓋体が容器に対しロックされ、器具が圧力下にない状態での、ロックバルブ部材、制御ピースおよび蓋体間のアセンブリを示す断面図である。
【図６】ロックバルブ部材が漏れにくい高位置にあり、かつ蓋体が容器に対しロックされ、器具が圧力下にある状態での、ロックバルブ部材、制御ピースおよび蓋体によって形成されるアセンブリを示す断面図である。
【図７】蓋体がロック位置とアンロック位置との間の中間位置にあり、かつ器具内にゼロでない相対的な圧力である場合での、ロックバルブ部材、制御ピースおよび蓋体によって形成されるアセンブリを示す断面図である。
【符号の説明】
【００９３】
１…容器、
２…蓋体、
３…ロック／アンロック装置、
４…挟持部、
５…駆動アーム、
７…制御手段、
８…作動部材、
９…制御ピース、
１０…ロックバルブ部材、
１４…開口部、
１５…本体、
１６…ネック部、
１７…頭部、
１８…案内路、
１９…局所的に広い部分、
２０…スロット、
２１…突起、
２３，２４…停滞ゾーン。
【図１】
2005177514.tif 000003
【図２】
2005177514.tif 000004
【図３】
2005177514.tif 000005
【図４】
2005177514.tif 000006
【図５】
2005177514.tif 000007
【図６】
2005177514.tif 000008
【図７】
2005177514.tif 000009